(57)【要約】【課題】入出力点情報の変更に適応して入出力点リストを的確かつ容易に作成できる情報処理装置を得る。【解決手段】処理対象システムの系統図から、前記処理対象システムを構成する各要素の個別データベース３ａ〜３ｅおよび個別データベース３ａ〜３ｅ間における関連付けを登録しておく紐付けデータベース３ｆで構成されるデータベース３を生成するデータベース生成処理部２、データベース３として保存されたデータから入出力点リストを生成する入出力点リスト生成処理部４と、データベース３として保存されているデータの検索と編集処理を行うデータ検索／編集処理部１１とを備え、データ検索／編集処理部１１は、前記各要素における入出力点情報の変更に応じて、データベース３として保存されているデータ情報を変更する。【選択図】図１
2005157505.tif 000002
【特許請求の範囲】
【請求項１】
処理対象システムの系統図から、前記処理対象システムを構成する各要素の入出力点情報を管理する個別データベースを各要素別に生成するとともに、前記個別データベース間における関連付けを登録しておく関連付けデータベースを生成し、前記個別データベースおよび前記関連付けデータベースで構成されるデータベースを生成するデータベース生成処理手段と、前記データベースとして保存されたデータから入出力点リストを生成する入出力点リスト生成処理手段と、前記データベースとして保存されているデータの検索と編集処理を行うデータ編集処理手段とを備え、前記データ編集処理手段は、前記各要素における入出力点情報の変更に応じて、前記データベースとして保存されているデータ情報を変更することを特徴とする入出力点情報処理装置。
【請求項２】
処理対象システムの系統図から、前記処理対象システムを構成する各要素の入出力点情報を管理する個別データベースを各要素別に生成するとともに、前記個別データベース間における関連付けを登録しておく関連付けデータベースを生成し、前記個別データベースおよび前記関連付けデータベースで構成されるデータベースを生成するデータベース生成処理手段と、前記データベースとして保存されたデータから入出力点リストを生成する入出力点リスト生成処理手段と、前記データベースとして保存されているデータの検索と編集処理を行うデータ編集処理手段と、ネットワークを介して接続されたクライアント端末からのデータ検索要求およびデータ編集要求を処理する要求処理手段と、前記各クライアント端末が関係するデータベース情報を登録しているクライアント情報手段とを備え、前記データ編集処理手段は、前記クライアント端末からのデータ編集要求に基づく入出力点情報の変更を含む前記各要素における入出力点情報の変更に応じて、前記データベースとして保存されているデータ情報を変更するとともに、前記要求処理手段は、前記クライアント情報手段に登録されている情報に基づきデータ検索結果またはデータ編集結果を所定のクライアント端末へ送信することを特徴とする入出力点情報処理装置。
【請求項３】
処理対象システムの系統図から、前記処理対象システムを構成する各要素の入出力点情報を管理する個別データベースを各要素別に生成するとともに、前記個別データベース間における関連付けを登録しておく関連付けデータベースを生成し、前記個別データベースおよび前記関連付けデータベースで構成されるデータベースを生成するデータベース生成処理手段と、前記データベースとして保存されたデータから入出力点リストを生成する入出力点リスト生成処理手段と、前記データベースとして保存されているデータの検索と編集処理を行うデータ編集処理手段と、ネットワークを介して接続されたクライアント端末からのデータ検索要求およびデータ編集要求を処理する要求処理手段と、前記クライアント端末からのデータ編集要求に基づく入出力点情報の変更処理に応じて変更内容情報の管理を行う変更情報管理手段と、変更内容情報履歴を管理する変更履歴管理手段とを備え、前記データ編集処理手段は、前記クライアント端末からのデータ編集要求に基づく入出力点情報の変更を含む前記各要素における入出力点情報の変更に応じて、前記データベースとして保存されているデータ情報を変更するとともに、前記変更情報管理手段は、前記クライアント端末からのデータ編集要求に基づく入出力点情報の変更処理に応じて変更内容情報の管理およびクライアント端末への所定の連絡を実行するようにしたことを特徴とする入出力点情報処理装置。
【請求項４】
処理対象システムの系統図から、前記処理対象システムを構成する各要素の入出力点情報を管理する個別データベースを各要素別に生成するとともに、前記個別データベース間における関連付けを登録しておく関連付けデータベースを生成し、前記個別データベースおよび前記関連付けデータベースで構成されるデータベースを生成するデータベース生成処理手段と、前記データベースとして保存されたデータから入出力点リストを生成する入出力点リスト生成処理手段と、前記データベースとして保存されているデータの検索と編集処理を行うデータ編集処理手段と、ネットワークを介して接続されたクライアント端末からのデータ検索要求およびデータ編集要求を処理する要求処理手段と、各クライアント端末が関係するデータベース情報を登録しているクライアント情報手段と、前記クライアント端末からのデータ編集要求に基づく入出力点情報の変更処理に応じて変更内容情報のバックアップ管理を行うバックアップ管理手段と、前記クライアント端末に設けられた端末バックアップ手段とを備え、前記データ編集処理手段は、前記クライアント端末からのデータ編集要求に基づく入出力点情報の変更を含む前記各要素における入出力点情報の変更に応じて、前記データベースとして保存されているデータ情報を変更するとともに、前記バックアップ管理手段は、前記クライアント情報手段に登録されている情報に応じてバックアップデータを所定のクライアント端末の前記端末バックアップ手段に送信するようにしたことを特徴とする入出力点情報処理装置。
【請求項５】
処理対象システムの系統図から、前記処理対象システムを構成する各要素の入出力点情報を管理する個別データベースを各要素別に生成するとともに、前記個別データベース間における関連付けを登録しておく関連付けデータベースを生成し、前記個別データベースおよび前記関連付けデータベースで構成されるデータベースを生成するデータベース生成処理手段と、前記データベースとして保存されたデータから入出力点リストを生成する入出力点リスト生成処理手段と、前記データベースとして保存されているデータの検索と編集処理を行うデータ編集処理手段と、ネットワークを介して接続されたクライアント端末からのデータ検索要求およびデータ編集要求を処理する要求処理手段と、前記クライアント端末からのデータ編集要求に基づく入出力点情報の変更処理に応じて変更内容情報のバックアップ管理を行うバックアップ管理手段と、前記クライアント端末に設けられた端末バックアップ手段と、入出力情報が保存されている前記データベースとクライアント端末の前記端末バックアップ手段とのアクセス負荷状況を比較しデータ取得先を決定するデータ先決定処理手段とを備え、前記データ編集処理手段は、前記クライアント端末からのデータ編集要求に基づく入出力点情報の変更を含む前記各要素における入出力点情報の変更に応じて、前記データベースとして保存されているデータ情報を変更するとともに、前記データ先決定処理手段は、前記クライアント端末からのデータ検索要求に応じて入出力情報が保存されているデータベースとクライアント端末の前記端末バックアップ手段とのアクセス負荷状況を比較しデータ取得を行うことを特徴とする入出力点情報処理装置。
【発明の詳細な説明】
【技術分野】
【０００１】
この発明は、入出力点情報処理装置、特に、発電プラント等の大規模プラントにおける監視システムに用いられる入出力点リスト編集支援及び入出力点情報管理装置に関するものである。
【背景技術】
【０００２】
発電プラント等の大規模プラントにおける監視システムでは、制御系統における対象各部の入出力データについて所定の処理を行う。
このような処理過程において、入出力データは入出力点毎に入出力点リストとして作成される。
従来の入出力点リスト自動生成装置は、制御系統図データを元に、入出力点リストを自動生成している（例えば、特許文献１参照）。
【０００３】
【特許文献１】特開２０００−２２２０３０号公報
【発明の開示】
【発明が解決しようとする課題】
【０００４】
従来の入出力点リスト自動生成装置は、制御系統図データ情報を更新することで、入出力点リストを更新することができたが、多数の制御装置、その他の機器・計器において、入出力信号情報が頻繁に変更される度に、制御系統図データを人為的に更新する必要があり、その都度、データ更新作業に時間をとられる問題があった。
また、変更が多く発生した場合、人為的な反映ミスにより、間違った内容を含む入出力点リストを生成してしまうことがあり、これによる製作作業の手戻りが発生する問題があった。
また、仕様変更連絡漏れにより、入出力点リストに仕様変更が反映されないまま、製作作業をすることによる手戻りが発生する問題があった。
また、入出力点リスト生成元の情報は、作成元でしか電子データが管理されておらず、関係先は紙データにての管理を行っており、膨大な関連資料の中から、必要な最新データを探すのに時間がかかるばかりでなく、入手している紙データが最新のものか特定したい場合、作成元に問い合わせる必要があるという問題があった。
また、入出力点リスト生成元の入出力点情報を、ネットワーク経由で検索可能な場合でも、検索に時間がかかる等の問題があった。  
【０００５】
この発明は、上記のような課題を解決するためになされたものであり、入出力点情報の変更に適応して入出力点リストを的確かつ容易に入手できる入出力点情報処理装置を得ようとするものである。
【課題を解決するための手段】
【０００６】
この発明に係る入出力点情報処理装置では、処理対象システムの制御系統図から、前記処理対象システムを構成する各要素の入出力点情報を管理する個別データベースを各要素別に生成するとともに、前記個別データベース間における関連付けを登録しておく関連付けデータベースを生成し、前記個別データベースおよび前記関連付けデータベースからなるデータベースを生成するデータベース生成処理手段と、生成したデータを保存するデータ保存処理手段と、前記データベースとして保存されたデータから入出力点リストを生成する入出力点リスト生成処理手段と、前記データベースに保存されているデータの検索と編集処理を行うデータ編集処理手段とを備え、前記データ編集処理手段は、前記各要素における入出力点情報の変更に応じて、前記データベースに保存されているデータ情報を変更するようにした。
【発明の効果】
【０００７】
この発明によれば、入出力点情報の変更に適応して入出力点リストを的確かつ容易に入手できる入出力点情報処理装置を得ることができる。
【発明を実施するための最良の形態】
【０００８】
実施の形態１．
この発明による実施の形態１を図１について説明する。図１はこの発明の一実施の形態によるプラントの入出力点リスト編集支援及び入出力点情報管理装置を示すブロック図である。
【０００９】
図１において、制御系統図データ１をもとに、データベース生成処理部２がデータベース３を生成する。入出力点リスト生成処理部４が各データベース３ａ〜３ｅに保存されたデータ情報をもとに入出力点リストデータを生成し、入出力点リストデータベース４にデータを保存する。
変更が必要となった時、変更必要となった各データベース３ａ〜３ｅの１つ、例えば、制御盤１に関する入出力点情報が変更された場合、データ検索／編集処理部１１により、制御盤１データベース３ｂを検索し、制御盤１データベース情報３ｂに変更内容を反映した情報に更新する。このとき、データ検索／編集処理部１１は、紐付けデータベース２０を検索し、制御盤１と入出力の信号を取合っているデータベース３の情報、例えば、シーケンサ盤データベース３ａの情報も更新する。
【００１０】
以上のように、各データベース３ａ〜３ｅの分割された単位でデータを管理することで、分割単位毎それぞれ個別に管理することができ、変更等の管理が容易になる。また、最初に変更が発生したデータベース（データベース３ａ〜３ｅのうちの１つ）のみ変更することで、それ以外の（変更が発生したデータベースと紐付いている）データベース３ａ〜３ｅにも変更内容を自動的に反映することができ、あわせて、最新に更新されたデータベース３より最新の入出力点リストを自動生成できる。
【００１１】
この実施の形態１では、発電プラントの制御系統図から、各シーケンサ盤、制御盤、現場計器の入出力点情報を管理するデータベース３の生成と、各シーケンサ盤、制御盤、計器用のデータベースの紐付けを登録しておく紐付けデータベース３ｆの生成を自動で行うデータベース生成処理部２と、生成したデータ３を保存するデータ保存処理部と、データベース３に保存されたデータより入出力点リストを自動生成する入出力点リスト生成処理部４と、生成された入出力点リストデータを保存する入出力点リストデータベース５と、データベース３に保存されているデータの検索と編集処理を行うデータ検索／編集処理部１１を備え、制御系統図データより自動で入出力点リストを生成し、また、各シーケンサ盤、制御盤、現場計器の入出力点情報が変更された際に、データベース３に保存されているデータ情報を変更することにより、最新の情報で自動的に入出力点リストデータが生成されることを特徴とする入出力点情報処理装置が提案されている。
【００１２】
この発明による実施の形態１によれば、発電プラント等の監視システムからなる処理対象システムの制御系統図から、前記処理対象システムを構成する各シーケンサ盤、制御盤、現場計器等の各要素の入出力点情報を管理する個別データベース３ａ〜３ｅを各要素別に生成するとともに、前記個別データベース３ａ〜３ｅ間における紐付けすなわち関連付けを登録しておく紐付けデータベース３ｆからなる関連付けデータベースを生成し、前記個別データベース３ａ〜３ｅおよび前記紐付けデータベース３ｆからなる関連付けデータベースで構成されるデータベース３を生成するデータベース生成処理部２からなるデータベース生成処理手段と、生成したデータを保存するデータ保存処理手段（図示せず）と、前記データベース３として保存されたデータから入出力点リストを生成する入出力点リスト生成処理部４からなる入出力点リスト生成処理手段と、前記データベース３として保存されているデータの検索と編集処理を行うデータ検索／編集処理部１１からなるデータ編集処理手段とを備え、前記データ検索／編集処理部１１からなるデータ編集処理手段は、前記各要素における入出力点情報の変更に応じて、前記データベース３に保存されているデータ情報を変更するようにしたので、入出力点情報の変更に適応して入出力点リストを的確かつ容易に入手できる入出力点情報処理装置を得ることができる。
【００１３】
実施の形態２．
この発明による実施の形態２を図２について説明する。図２は実施の形態２における構成を示すブロック図である。
この実施の形態２において、ここで説明する特有の構成以外の構成については、先に説明した実施の形態１における構成と同一の構成内容を具備し同様の作用を奏するものである。図中、同一符号は同一または相当部分を示す。
【００１４】
図２はこの発明の他の実施の形態を示し、プラントの入出力点リスト編集支援及び入出力情報管理装置を示すブロック図である。
図２において、ネットワーク７に接続されたクライアント端末８からデータベース３ａ〜３ｅの、例えば、制御盤１情報の検索要求９をデータ検索要求受信／返信部１０に送信する。要求を受信したデータ検索要求受信／返信部１０は、あらかじめ各データベース３ａ〜３ｅへのアクセス権限（編集可能クライアントか情報閲覧のみ可能なクライアントか）を登録している担当クライアント情報データベース１５を検索し、クライアント端末８が制御盤１を検索可能な場合、データ検索要求受信／返信部１０からデータ検索／編集処理部１１へ制御盤１の情報を要求する。データ検索／編集処理部１１は、制御盤１データベース３ｂを検索し、制御盤１の情報をデータ検索要求受信／返信部１０からデータ検索／編集処理部１１へ渡し、データ検索／編集処理部１１からクライアント端末８へ制御盤１の情報を送り、クライアント端末８の表示部に制御盤１の情報が表示される。
クライアントが制御盤１の情報を変更し、制御盤１の情報変更要求９と変更した制御盤１の情報を渡す。要求を受信したデータ検索要求受信／返信部１０は、担当クライアント情報データベース１５において制御盤１データベース３ｂの編集アクセス権を確認し、編集可能な場合、データ検索／編集処理部１１へ制御盤１の編集情報を渡す。実施の形態１で述べたとおり、データベース３の更新が行われるとともに最新の入出力点リストデータが生成される。
【００１５】
以上のように、クライアント端末がどこに設置されていても、ネットワーク上にさえ接続されておれば、各データベースの最新情報をいつでも閲覧することを可能とし、また、ネットワーク上に接続されておれば、各データベースの担当クライアントにより、いつでもどこからでも最新情報への更新することを可能とする。
【００１６】
この実施の形態２では、発電プラントの制御系統図から、各シーケンサ盤、制御盤、現場計器の入出力点情報を管理するデータベース３ａ〜３ｅの生成と、各シーケンサ盤、制御盤、計器用のデータベースの紐付けを登録しておく紐付けデータベース３ｆの生成を自動で行うデータベース生成処理部２と、生成したデータ３を保存するデータ保存処理部と、データベース３に保存されたデータより入出力点リストを自動生成する入出力点リスト生成処理部４と、生成された入出力点リストデータを保存する入出力点リストデータベース５と、ネットワーク７上に接続されたクライアント端末８からのデータ検索要求を受信し、検索結果データを要求のあったクライアント端末８に送信するデータ検索／編集要求受信／送信部１０と、データ検索／編集要求受信／送信部１０からの要求によりデータベース３に保存されているデータの検索と編集処理を行うデータ検索／編集処理部１１と、各クライアント端末８が検索または編集可能なデータベース情報を登録している担当クライアント情報データベース１５を備えた入出力点リスト編集支援及び入出力点情報管理装置６において、ネットワークに接続された複数のクライアント端末８からデータの検索と編集が行える特徴があり、また複数のクライアント８により変更された最新の入出力点情報が保存されているデータベースをもとに、最新の入出力点リストを自動で生成することを特徴とする入出力点情報処理装置が提案されている。
【００１７】
この発明による実施の形態２によれば、発電プラント等の監視システムからなる処理対象システムの系統図から、前記処理対象システムを構成する各シーケンサ盤、制御盤、現場計器等の各要素の入出力点情報を管理する個別データベース３ａ〜３ｅを各要素別に生成するとともに、前記個別データベース３ａ〜３ｅ間における関連付けを登録しておく関連付けデータベース３ｆを生成し、前記個別データベース３ａ〜３ｅおよび前記関連付けデータベース３ｆで構成されるデータベース３を生成するデータベース生成処理部２からなるデータベース生成処理手段と、前記データベース３として保存されたデータから入出力点リストを生成する入出力点リスト生成処理部４からなる入出力点リスト生成処理手段４と、前記データベース３として保存されているデータの検索と編集処理を行うデータ編集処理部１１からなるデータ編集処理手段と、ネットワーク７を介して接続されたクライアント端末８からのデータ検索要求およびデータ編集要求を処理するデータ検索／編集要求受信／送信部１０からなる要求処理手段と、前記各クライアント端末８が検索または編集可能なアクセス権を持つデータベース等の各クライアント端末８が関係するデータベースに係る情報を登録している担当クライアント情報データベース１５からなるクライアント情報手段とを備え、前記データ編集処理部１１からなるデータ編集処理手段は、前記クライアント端末８からのデータ編集要求に基づく入出力点情報の変更を含む前記各要素における入出力点情報の変更に応じて、前記データベース３として保存されているデータ情報を変更するとともに、前記データ検索／編集要求受信／送信部１０からなる要求処理手段は、前記担当クライアント情報データベース１５からなるクライアント情報手段に登録されている情報に基づきデータ検索結果またはデータ編集結果を所定のクライアント端末へ送信するようにしたので、入出力点情報の変更に適応して入出力点リストを的確かつ容易に入手できるとともに、クライアント端末によりネットワークを介してデータ検索閲覧およびデータ更新を適切かつ容易に行える入出力点情報処理装置を得ることができる。
【００１８】
実施の形態３．
この発明による実施の形態３を図３について説明する。図３は実施の形態３における構成を示すブロック図である。
この実施の形態３において、ここで説明する特有の構成以外の構成については、先に説明した実施の形態１における構成と同一の構成内容を具備し同様の作用を奏するものである。図中、同一符号は同一または相当部分を示す。
【００１９】
図３はこの発明の他の実施の形態を示し、プラントの入出力点リスト編集支援及び入出力情報管理装置を示すブロック図である。図３において、クライアント端末８からの入出力点情報変更要求により、データ検索／編集処理部１１がデータベース３の更新を行った際、データ検索／編集処理部１１が更新処理前からの変更内容情報を、データ変更管理／連絡処理部１２へ送る。データ変更管理／連絡処理部１２は、受け取った変更内容情報を管理するための変更履歴管理データベース１３へ保存するとともに、担当クライアント情報データベースよりデータベース３ａ〜３ｅのうち変更されたデータベースのクライアント情報を取得し、該当のクライアント端末８にデータベース変更情報の連絡を行う。
【００２０】
以上のように、各データベースが変更された際、変更履歴管理を自動的に、かつ確実に行うことができる。また、仕様変更が生じたことを確実に関係のあるクライアントへ連絡することができ、仕様変更連絡漏れをなくすことができる。
【００２１】
この実施の形態３では、発電プラントの制御系統図から、各シーケンサ盤、制御盤、現場計器の入出力点情報を管理するデータベース３ａ〜３ｅの生成と、各シーケンサ盤、制御盤、計器用のデータベースの紐付けを登録しておく紐付けデータベース３ｆの生成を自動で行うデータベース生成処理部２と、生成したデータ３を保存するデータ保存処理部と、データベース３に保存されたデータより入出力点リストを自動生成する入出力点リスト生成処理部４と、生成された入出力点リストデータを保存する入出力点リストデータベース５と、ネットワーク７上に接続されたクライアント端末８からのデータ検索要求を受信し、検索結果データを要求のあったクライアント端末に送信するデータ検索／編集要求受信／送信部１０と、データ検索／編集要求受信／送信部１０からの要求によりデータベースに保存されているデータの検索と編集処理を行うデータ検索／編集処理部１１と、各クライアント端末８が検索または編集可能なデータベース情報を登録している担当クライアント情報データベース１５と、データ検索／編集処理部１１にて入出力点情報データの変更処理が行われた際、変更内容情報の管理と変更情報通知必要なクライアントへの変更内容の連絡を行うデータ変更管理／連絡処理部１２と、変更内容情報を管理する変更履歴管理データベース１３を備えた入出力点リスト編集支援及び入出力点情報管理装置６において、入出力点情報の変更内容を漏れなく全て自動で管理するとともに、変更連絡も自動で行うことで、連絡ミスをなくすことを特徴とする入出力点情報処理装置が提案されている。
【００２２】
この発明による実施の形態３によれば、発電プラント等の監視システムからなる処理対象システムの系統図から、前記処理対象システムを構成する各シーケンサ盤、制御盤、現場計器等の各要素の入出力点情報を管理する個別データベース３ａ〜３ｅを各要素別に生成するとともに、前記個別データベース３ａ〜３ｅ間における関連付けを登録しておく関連付けデータベース３ｆを生成し、前記個別データベース３ａ〜３ｅおよび前記関連付けデータベース３ｆで構成されるデータベース３を生成するデータベース生成処理部２からなるデータベース生成処理手段と、前記データベース３として保存されたデータから入出力点リストを生成する入出力点リスト生成処理部４からなる入出力点リスト生成処理手段４と、前記データベース３として保存されているデータの検索と編集処理を行うデータ編集処理部１１からなるデータ編集処理手段と、ネットワーク７を介して接続されたクライアント端末からのデータ検索要求およびデータ編集要求を処理するデータ検索／編集要求受信／送信部１０からなる要求処理手段と、、前記各クライアント端末８が検索または編集可能なアクセス権を持つデータベース等の各クライアント端末８が関係するデータベースに係る情報を登録している担当クライアント情報データベース１５からなるクライアント情報手段と、前記クライアント端末８からのデータ編集要求に基づく入出力点情報の変更処理に応じて変更内容情報の管理を行うデータ変更管理／連絡処理部１２からなる変更情報管理手段と、変更内容情報履歴を管理する変更履歴管理データベース１３からなる変更履歴管理手段とを備え、前記データ編集処理部１１からなるデータ編集処理手段は、前記クライアント端末８からのデータ編集要求に基づく入出力点情報の変更を含む前記各要素における入出力点情報の変更に応じて、前記データベース３として保存されているデータ情報を変更するとともに、前記データ変更管理／連絡処理部１２からなる変更情報管理手段は、前記担当クライアント情報データベース１５からなるクライアント情報手段に登録されている情報に基づき前記クライアント端末８からのデータ編集要求に基づく入出力点情報の変更処理に応じて変更内容情報の管理およびクライアント端末への所定の連絡を実行するようにしたので、入出力点情報の変更に適応して入出力点リストを的確かつ容易に入手できるとともに、各データベースが変更された際、変更履歴管理を自動的に、かつ、確実に行うことができ、しかも、仕様変更等が生じたことを確実に関係のあるクライアントへ連絡することができ、仕様変更等の連絡漏れをなくすことができる入出力点情報処理装置を得ることができる。
【００２３】
実施の形態４．
この発明による実施の形態４を図４について説明する。図４は実施の形態４における構成を示すブロック図である。
この実施の形態４において、ここで説明する特有の構成以外の構成については、先に説明した実施の形態１における構成と同一の構成内容を具備し同様の作用を奏するものである。図中、同一符号は同一または相当部分を示す。
【００２４】
図４はこの発明の他の実施の形態を示し、プラントの入出力点リスト編集支援及び入出力情報管理装置を示すブロック図である。
図４において、クライアント端末８からの入出力点情報変更要求により、データ検索／編集処理部１１がデータベース３の更新を行った際、データ検索／編集処理部１１からバックアップデータ送信処理部１６へ更新された最新情報を渡す。バックアップデータ送信処理部１６は、担当クライアント情報データベースより、データベース３のうちで、変更された各データベース３ａ〜３ｅの担当クライアント情報を取得する。バックアップデータ送信処理部１６から、各担当クライアント端末８のバックアップデータ受信処理部１７へ送信する。バックアップデータ受信処理部１７は受信した最新情報を光ディスク等のバックアップ装置１８へ保存する。
【００２５】
以上のように、データベースの情報が更新されたときに、自動でバックアップを取ることができる。また、各担当クライアント毎にバックアップデータを持つことで、各クライアントが担当している情報を、入出力点リスト編集支援及び入出力情報管理装置にアクセスすることなく、各クライアントに備え付けたバックアップ装置から情報を取得することができ、ネットワークを介さない分検索、処理スピードをあげることを可能とする。
【００２６】
この実施の形態４では、発電プラントの制御系統図から、各シーケンサ盤、制御盤、現場計器の入出力点情報を管理するデータベース３ａ〜３ｅの生成と、各シーケンサ盤、制御盤、計器用のデータベースの紐付けを登録しておく紐付けデータベース３ｆの生成を自動で行うデータベース生成処理部２と、生成したデータ３を保存するデータ保存処理部と、データベース３に保存されたデータより入出力点リストを自動生成する入出力点リスト生成処理部４と、生成された入出力点リストデータを保存する入出力点リストデータベース５と、ネットワーク７上に接続されたクライアント端末８からのデータ検索要求を受信し、検索結果データを要求のあったクライアント端末に送信するデータ検索／編集要求受信／送信部１０と、データ検索／編集要求受信／送信部１０からの要求によりデータベースに保存されているデータの検索と編集処理を行うデータ検索／編集処理部１１と、各クライアント端末８が検索または編集可能なアクセス権を持つデータベース等のデータベースに係る情報を登録している担当クライアント情報データベース１５と、各データベース（入出力点情報）のバックアップデータを受け取り、担当クライアント情報データベース１５からバックアップ担当クライアントを特定し、バックアップデータを送信するバックアップデータ送信処理部１６とを備え、またクライアント端末８にバックアップデータを受信するバックアップデータ受信部１７とバックアップ装置１８を備えることで、バックアップ量を各クライアント端末に分散させ、バックアップ負荷を下げ、バックアップすることを特徴とし、また、各クライアントは、自分が担当している入出力点データを、入出力点リスト編集支援及び入出力点情報管理装置のデータベースからではなく、端末に設置されたバックアップ装置から取得することができ、ネットワーク負荷がより少ない状態で検索処理を行うことを特徴とする入出力点情報処理装置が提案されている。
【００２７】
この発明による実施の形態４によれば、発電プラント等の監視システムからなる処理対象システムの系統図から、前記処理対象システムを構成する各シーケンサ盤、制御盤、現場計器等の各要素の入出力点情報を管理する個別データベース３ａ〜３ｅを各要素別に生成するとともに、前記個別データベース３ａ〜３ｅ間における関連付けを登録しておく関連付けデータベース３ｆを生成し、前記個別データベース３ａ〜３ｅおよび前記関連付けデータベース３ｆで構成されるデータベース３を生成するデータベース生成処理部２からなるデータベース生成処理手段と、前記データベース３として保存されたデータから入出力点リストを生成する入出力点リスト生成処理部４からなる入出力点リスト生成処理手段４と、前記データベース３として保存されているデータの検索と編集処理を行うデータ編集処理部１１からなるデータ編集処理手段と、ネットワーク７を介して接続されたクライアント端末からのデータ検索要求およびデータ編集要求を処理するデータ検索／編集要求受信／送信部１０からなる要求処理手段と、各クライアント端末８が検索または編集可能なデータベース等の関係するデータベースに係る情報を登録している担当クライアント情報データベース１５からなるクライアント情報手段と、前記クライアント端末８からのデータ編集要求に基づく入出力点情報の変更処理に応じて変更内容情報のバックアップ管理を行うバックアップデータ送信処理部１６からなるバックアップ管理手段と、前記クライアント端末に設けられたバックアップデータ受信処理部１７およびバックアップ装置１８からなる端末バックアップ手段とを備え、前記データ編集処理手段は、前記クライアント端末からのデータ編集要求に基づく入出力点情報の変更を含む前記各要素における入出力点情報の変更に応じて、前記データベースとして保存されているデータ情報を変更するとともに、前記バックアップデータ送信処理部１６からなるバックアップ管理手段は、前記担当クライアント情報データベース１５からなるクライアント情報手段に登録されている情報に応じてバックアップデータを所定のクライアント端末８の前記バックアップデータ受信処理部１７およびバックアップ装置１８からなる端末バックアップ手段に送信するようにしたので、入出力点情報の変更に適応して入出力点リストを的確かつ容易に入手できるとともに、各データベースが変更された際、変更履歴管理を自動的に、かつ、確実に行うことができ、しかも、仕様変更等が生じたことを確実に関係のあるクライアントへ連絡することができ、仕様変更等の連絡漏れをなくすことができる入出力点情報処理装置を得ることができる。
【００２８】
実施の形態５．
この発明による実施の形態５を図５について説明する。図５は実施の形態５における構成を示すブロック図である。
この実施の形態５において、ここで説明する特有の構成以外の構成については、先に説明した実施の形態１における構成と同一の構成内容を具備し同様の作用を奏するものである。図中、同一符号は同一または相当部分を示す。
【００２９】
図５はこの発明の他の実施の形態を示し、プラントの入出力点リスト編集支援及び入出力情報管理装置を示すブロック図である。図５において、クライアント端末８からデータ検索アクセス先決定処理部１９へデータ検索要求を出す。要求を受けたデータ検索アクセス先決定処理部１９は、担当クライアント情報データベースより、要求された情報を（バックアップ装置１８）にバックアップ保存しているクライアント情報を取得する。データ検索アクセス先決定処理部１９は、入出力点リスト編集支援及び入出力情報管理装置のデータベース３とクライアント端末のバックアップ装置１８のネットワーク負荷状態を確認し、より速く情報を取得できる方を選択して情報を取得する。例えば、クライアント端末より情報を取得した方が速いとデータ検索アクセス先決定処理部１９が判断した場合、バックアップデータ受信／送信処理部１７にデータの送信要求を行う。要求を受信したバックアップデータ受信／送信処理部１７はバックアップ装置１８からデータを取得し、データ検索アクセス先決定処理部１９へデータを送信する。その後、データ検索アクセス先決定処理部１９から、クライアント端末８のデータ表示部９へデータ情報が送信され、クライアントが要求した情報を取得する。
【００３０】
以上のように、ネットワーク負荷の少ない方を自動で選択し、検索スピードを速めることを可能とする。また、入出力点リスト編集支援及び入出力情報管理装置のデータベースから情報を取得できない状態においても、必要な情報を取得することができる。なお、必要な情報を保存しているクライアント端末がわからなくても、各クライアント端末から必要な情報を自動的に取得する。
【００３１】
この実施の形態５では、発電プラントの制御系統図から、各シーケンサ盤、制御盤、現場計器の入出力点情報を管理するデータベースの生成と、各シーケンサ盤、制御盤、計器用のデータベースの紐付けを登録しておく紐付けデータベースの生成を自動で行うデータベース生成処理部と、生成したデータを保存するデータ保存処理部と、データベースに保存されたデータより入出力点リストを自動生成する入出力点リスト生成処理部と、生成された入出力点リストデータを保存する入出力点リストデータベースと、ネットワーク上に接続されたクライアント端末からのデータ検索要求を受信し、検索結果データを要求のあったクライアント端末に送信するデータ検索／編集要求受信／送信部と、データ検索／編集要求受信／送信部からの要求によりデータベースに保存されているデータの検索と編集処理を行うデータ検索／編集処理部と、各クライアント端末が検索または編集可能なデータベース情報を登録している担当クライアント情報データベースと、各データベース（入出力点情報）のバックアップデータを受け取り、担当クライアント情報データベースからバックアップ担当クライアントを特定し、バックアップデータを送信するバックアップデータ送信処理部と、バックアップデータを受信するバックアップデータ受信部とバックアップ装置を備えたクライアント端末と、クライアントからのデータ検索要求を受け、入出力情報が保存されているデータベースとクライアント端末のバックアップ装置とのアクセス負荷状況を比較し、より速くデータ情報が取得できる方からデータ取得を行い、クライアントへ情報を送信するデータ先決定処理部を備えた入出力点リスト編集支援及び入出力点情報管理装置において、クライアントからの検索要求時、より速く検索して情報を取得することを特徴とし、またデータベース検索不可時も、自動でクライアント端末のバックアップ装置から情報を提供することを特徴とする入出力点情報処理装置が提案されている。
【００３２】
この発明による実施の形態５によれば、発電プラント等の監視システムからなる処理対象システムの系統図から、前記処理対象システムを構成する各シーケンサ盤、制御盤、現場計器等の各要素の入出力点情報を管理する個別データベース３ａ〜３ｅを各要素別に生成するとともに、前記個別データベース３ａ〜３ｅ間における関連付けを登録しておく関連付けデータベース３ｆを生成し、前記個別データベース３ａ〜３ｅおよび前記関連付けデータベース３ｆで構成されるデータベース３を生成するデータベース生成処理部２からなるデータベース生成処理手段と、前記データベース３として保存されたデータから入出力点リストを生成する入出力点リスト生成処理部４からなる入出力点リスト生成処理手段４と、前記データベース３として保存されているデータの検索と編集処理を行うデータ編集処理部１１からなるデータ編集処理手段と、ネットワーク７を介して接続されたクライアント端末からのデータ検索要求およびデータ編集要求を処理するデータ検索／編集要求受信／送信部１０からなる要求処理手段と、各クライアント端末８が検索または編集可能なアクセス権を持つデータベース等の関係するデータベースの情報を登録している担当クライアント情報データベース１５からなるクライアント情報手段と、前記クライアント端末８からのデータ編集要求に基づく入出力点情報の変更処理に応じて変更内容情報のバックアップ管理を行うバックアップデータ送信処理部１６からなるバックアップ管理手段と、前記クライアント端末に設けられたバックアップデータ受信処理部１７およびバックアップ装置１８からなる端末バックアップ手段とを備え、入出力情報が保存されている前記データベース３とクライアント端末８の前記バックアップデータ受信処理部１７およびバックアップ装置１８からなる端末バックアップ手段とのアクセス負荷状況を比較しデータ取得先を決定するデータ検索アクセス先決定処理部１９からなるデータ先決定処理手段とを備え、前記データ編集処理部１１からなるデータ編集処理手段は、前記クライアント端末８からのデータ編集要求に基づく入出力点情報の変更を含む前記各要素における入出力点情報の変更に応じて、前記データベースとして保存されているデータ情報を変更するとともに、前記データ検索アクセス先決定処理部１９からなるデータ先決定処理手段は、前記クライアント端末８からのデータ検索要求に応じて入出力情報が保存されているデータベース３とクライアント端末８の前記バックアップデータ受信処理部１７およびバックアップ装置１８からなる端末バックアップ手段とのアクセス負荷状況を比較しデータ取得を行うようにしたので、入出力点情報の変更に適応して入出力点リストを的確かつ容易に入手できるとともに、ネットワーク負荷の少ない方を選択して、検索スピードを速めることを可能とする入出力点情報処理装置を得ることができる。
【図面の簡単な説明】
【００３３】
【図１】この発明による実施の形態１における構成を示すブロック図である。
【図２】この発明による実施の形態２における構成を示すブロック図である。
【図３】この発明による実施の形態３における構成を示すブロック図である。
【図４】この発明による実施の形態４における構成を示すブロック図である。
【図５】この発明による実施の形態５における構成を示すブロック図である。
【符号の説明】
【００３４】
１  制御系統図データ、２  データベース生成処理部、３  データベース、３ａ〜３ｅ  個別データベース、４  入出力点リスト生成処理部、５  入出力点リストデータベース、６  入出力点リスト編集支援及び入出力点情報管理装置、７  ネットワーク７、８  クライアント端末、９  データ検索／変更要求／データ表示部、１０  データ検索要求受信／返信部、１１  データ検索／編集要求受信／返信部、１２  データ変更管理／連絡処理部、１３  変更履歴管理データベース、１５  担当クライアント情報データベース、１６  バックアップデータ送信処理部、１７  バックアップデータ受信／送信処理部、１８  光ディスク装置等（バックアップ装置）、１９  データ検索アクセス先決定処理部。
【図１】
2005157505.tif 000003
【図２】
2005157505.tif 000004
【図３】
2005157505.tif 000005
【図４】
2005157505.tif 000006
【図５】
2005157505.tif 000007